(57)【特許請求の範囲】
【請求項１】
フィルムに記録された画像を読み取るためのラインスキャナが設けられた画像読取装置であって、
前記フィルムを保持する枠体と、
前記フィルムが保持された枠体が少なくとも画像読取位置及びフィルム交換位置の２位置を取り得るように載置される枠体支持手段と、
前記枠体支持手段が搭載可能とされ、枠体支持手段を、前記画像読取のための読取光軸上が前記ラインスキャナの走査方向とは直交するフィルム上の画像の一端から他端まで対応するように移動させる移動手段と、
を有し、
前記移動手段が、前記ラインスキャナの前方テーブル上に露出して配設され、
前記枠体のフィルム保持面には、フォーカスチャートが付与されていることを特徴とする画像読取装置。
【請求項２】
フィルムに記録された画像を読み取るためのラインスキャナが設けられた画像読取装置であって、
前記フィルムを保持すると共に該フィルムのサイズを含む種類別に設けられ、前記種類を示す識別マークが付与された枠体と、
前記フィルムが保持された枠体が少なくとも画像読取位置及びフィルム交換位置の２位置を取り得るように載置されるテーブル及び載置される枠体の識別マークを認識する認識手段を備え、前記テーブルの一部が光透過性を有し、かつ透過面上にフィルム位置合わせ用の指標が設けられたシャーカステンとされた枠体支持手段と、
前記枠体支持手段が搭載可能とされ、枠体支持手段を、前記画像読取のための読取光軸上が前記ラインスキャナの走査方向とは直交するフィルム上の画像の一端から他端まで対応するように移動させる移動手段と、
を有し、
前記移動手段が、前記ラインスキャナの前方テーブル上に露出して配設され、
前記枠体支持手段には、前記シャーカステンの透過光の光源を前記枠体の移動によってオンオフされるスイッチが設けられ、前記画像読取位置からフィルム交換位置への移動によってオフされ、フィルム交換位置から画像読取位置への移動によってオンされることを特徴とする画像読取装置。
【請求項３】
フィルムに記録された画像を読み取るためのラインスキャナが設けられた画像読取装置であって、
前記フィルムを保持すると共に該フィルムのサイズを含む種類別に設けられ、前記種類を示す識別マークが付与された枠体と、
前記フィルムが保持された枠体が少なくとも画像読取位置及びフィルム交換位置の２位置を取り得るように載置されるテーブル及び載置される枠体の識別マークを認識する認識手段を備え、前記テーブルの一部が光透過性を有し、かつ透過面上にフィルム位置合わせ用の指標が設けられたシャーカステンとされた枠体支持手段と、
前記枠体支持手段が搭載可能とされ、枠体支持手段を、前記画像読取のための読取光軸上が前記ラインスキャナの走査方向とは直交するフィルム上の画像の一端から他端まで対応するように移動させる移動手段と、
を有し、
前記移動手段が、前記ラインスキャナの前方テーブル上に露出して配設され、
前記認識手段で識別マークに基づくフィルムの種類を認識し、この認識したフィルムの種類に応じて、少なくとも前記移動手段の移動速度及び画像読取時の読取倍率の一方を設定することを特徴とする画像読取装置。
【発明の詳細な説明】
【０００１】
【発明の属する技術分野】
本発明は、フィルムに記録された画像を読み取るための画像読取装置に関する。
【０００２】
【従来の技術】
近年では、写真フィルムに記録されたコマ画像をＣＣＤ等の読取センサによって光電的に読み取り、該読み取りによって得られたデジタル画像データに対し拡大縮小や各種補正等の画像処理を実行し、画像処理済のデジタル画像データに基づき変調したレーザ光により記録材料へ画像を形成する技術が知られている。
【０００３】
このようにＣＣＤ等の読取センサによりコマ画像をデジタル的に読み取る技術では、精度の良い画像読み取りを実現するために、コマ画像を予備的に読み取り（いわゆるプレスキャン）、コマ画像の濃度等に応じた読取条件（例えば、コマ画像に照射する光量やＣＣＤの電荷蓄積時間等）を決定し、決定した読取条件でコマ画像を再度読み取っていた（いわゆるファインスキャン）。
【０００４】
この場合プレスキャンは、比較的ラフな読取精度でよいため、搬送速度むらにも比較的大きな許容範囲がある。これに対して、ファインスキャンは、極めてシビアな読取精度が要求されるため、搬送速度むらの許容範囲が極めて狭い。
【０００５】
ここで、上記スキャニングは、フィルムキャリアによって長尺フィルムを保持し、かつ定速で搬送することによって副走査しながら、読取センサの読取光を主走査することによって行っている。
【０００６】
ここで、大型サイズのフィルムや、ピースフィルム等、自動でコマ送りできないフィルムの場合、手作業で該フィルムを所定位置へ位置決めし、該フィルム上の画像を読み取る必要がある。
【０００７】
この場合、光軸上にフィルムを副走査方向へ移動させる（主走査は、スキャナの走査）ための移動体に、２枚の板が蝶番等で連結され、かつ画像サイズとほぼ同サイズの矩形孔が設けられたフィルムクランプを取り付け、フィルムをこのフィルムクランプに挟み込むことにより、フィルムを副走査方向へ移動させるようにしている。
【０００８】
【発明が解決しようとする課題】
しかしながら、フィルムクランプでフィルムをクランプする際にフィルムの位置決めが面倒であり、正確に位置決めができない場合がある。また、フィルムクランプは、フィルム種類（サイズ）が異なる毎に変更しなければならないため、その都度、手作業で該フィルムに適合する条件（例えば、副走査速度や倍率等）を設定し直さなければならず、作業が煩雑となる。
【０００９】
本発明は上記事実を考慮し、フィルムの装填が容易であり、かつ位置決め精度を向上することができる画像読取装置を得ることが目的である。
【００１０】
また、上記目的の他、装填されるフィルムの種類に適合する画像読取条件の設定が容易に行うことができる画像読取装置を得ることが目的である。
【００１１】
【課題を解決するための手段】
請求項１に記載の発明は、フィルムに記録された画像を読み取るためのラインスキャナが設けられた画像読取装置であって、前記フィルムを保持する枠体と、前記フィルムが保持された枠体が少なくとも画像読取位置及びフィルム交換位置の２位置を取り得るように載置される枠体支持手段と、前記枠体支持手段が搭載可能とされ、枠体支持手段を、前記画像読取のための読取光軸上が前記ラインスキャナの走査方向とは直交するフィルム上の画像の一端から他端まで対応するように移動させる移動手段と、を有し、前記移動手段が、前記ラインスキャナの前方テーブル上に露出して配設され、前記枠体のフィルム保持面には、フォーカスチャートが付与されていることを特徴としている。
【００１２】
請求項１に記載の発明によれば、フィルムを枠体に保持し、枠体支持手段に載置する場合に、この枠体支持手段を画像読取位置とは異なるフィルム交換位置へ移動させておくことにより、作業性が向上する。枠体支持手段に枠体が載置されると、枠体支持手段を移動手段によって移動させ画像読取位置へ移動させ、ラインスキャナの走査方向とは直交する方向に移動させることにより、フィルム上の画像を読取ることができる。また、移動手段がラインスキャナの前方テーブル上に露出して配設されているので、枠体支持手段が容易に取り出せる。
また、枠体のフィルム保持面にフォーカスチャートを設けることにより、フォーカスを合わせしにくい画像であっても容易にフォーカス調整合わせが可能となる。
【００１３】
請求項２に記載の発明は、フィルムに記録された画像を読み取るためのラインスキャナが設けられた画像読取装置であって、前記フィルムを保持すると共に該フィルムのサイズを含む種類別に設けられ、前記種類を示す識別マークが付与された枠体と、前記フィルムが保持された枠体が少なくとも画像読取位置及びフィルム交換位置の２位置を取り得るように載置されるテーブル及び載置される枠体の識別マークを認識する認識手段を備え、前記テーブルの一部が光透過性を有し、かつ透過面上にフィルム位置合わせ用の指標が設けられたシャーカステンとされた枠体支持手段と、前記枠体支持手段が搭載可能とされ、枠体支持手段を、前記画像読取のための読取光軸上が前記ラインスキャナの走査方向とは直交するフィルム上の画像の一端から他端まで対応するように移動させる移動手段と、を有し、前記移動手段が、前記ラインスキャナの前方テーブル上に露出して配設され、前記枠体支持手段には、前記シャーカステンの透過光の光源を前記枠体の移動によってオンオフされるスイッチが設けられ、前記画像読取位置からフィルム交換位置への移動によってオフされ、フィルム交換位置から画像読取位置への移動によってオンされることを特徴としている。
【００１４】
請求項２に記載の発明によれば、枠体にフィルムを保持し、この枠体を枠体支持手段のテーブルに載置する。このテーブルは、フィルム画像面に対応してシャーカステンが設けられているため、透過光によってフィルムの位置決めを容易としている。なお、位置決めは位置合わせ用の指標に基づき行われるため、位置決め精度がよい。
【００１５】
なお、フィルム（枠体）の交換は、フィルム交換位置で行われ、終了後に画像読取位置へ移動され、フィルムの位置決めが行われた後画像の読取が行われる。
【００１６】
すなわち、移動手段に対して、枠体支持手段を介してフィルムを挟み込む枠体を装填するようにしたため、枠体を枠体支持手段を移動することで、フィルム交換位置と画像読取位置との２位置を取ることができ、フィルム交換位置で容易にフィルム（枠体）の交換が行え、画像読取位置でシャーカステンを用いて精度よく位置決めを行うことが可能となる。また、移動手段がラインスキャナの前方テーブル上に露出して配設されているので、枠体支持手段が容易に取り出せる。
また、枠体支持手段の移動に伴い、シャーカステン透過用の光源のオンオフを行い、光源の点灯によって、フィルムのフィルム位置合わせ用の指標に対する相対位置が認識しやすくなる。
【００２１】
請求項３に記載の発明は、フィルムに記録された画像を読み取るためのラインスキャナが設けられた画像読取装置であって、前記フィルムを保持すると共に該フィルムのサイズを含む種類別に設けられ、前記種類を示す識別マークが付与された枠体と、前記フィルムが保持された枠体が少なくとも画像読取位置及びフィルム交換位置の２位置を取り得るように載置されるテーブル及び載置される枠体の識別マークを認識する認識手段を備え、前記テーブルの一部が光透過性を有し、かつ透過面上にフィルム位置合わせ用の指標が設けられたシャーカステンとされた枠体支持手段と、前記枠体支持手段が搭載可能とされ、枠体支持手段を、前記画像読取のための読取光軸上が前記ラインスキャナの走査方向とは直交するフィルム上の画像の一端から他端まで対応するように移動させる移動手段と、を有し、前記移動手段が、前記ラインスキャナの前方テーブル上に露出して配設され、前記認識手段で識別マークに基づくフィルムの種類を認識し、この認識したフィルムの種類に応じて、少なくとも前記移動手段の移動速度及び画像読取時の読取倍率の一方を設定することを特徴としている。
【００２２】
請求項３に記載の発明によれば、枠体にフィルムを保持し、この枠体を枠体支持手段のテーブルに載置する。このテーブルは、フィルム画像面に対応してシャーカステンが設けられているため、透過光によってフィルムの位置決めを容易としている。なお、位置決めは位置合わせ用の指標に基づき行われるため、位置決め精度がよい。
なお、フィルム（枠体）の交換は、フィルム交換位置で行われ、終了後に画像読取位置へ移動され、フィルムの位置決めが行われた後画像の読取が行われる。
すなわち、移動手段に対して、枠体支持手段を介してフィルムを挟み込む枠体を装填するようにしたため、枠体を枠体支持手段を移動することで、フィルム交換位置と画像読取位置との２位置を取ることができ、フィルム交換位置で容易にフィルム（枠体）の交換が行え、画像読取位置でシャーカステンを用いて精度よく位置決めを行うことが可能となる。また、移動手段がラインスキャナの前方テーブル上に露出して配設されているので、枠体支持手段が容易に取り出せる。
また、枠体に付与した識別マークを認識手段で認識し、画像読取時の条件を変更する。例えば、ブローニサイズ等で撮影した記念写真等の大きいサイズの場合は読取速度を遅くし、１３５サイズや２４０（ＡＰＳ）サイズ等のスナップ写真の場合は読取速度を速くする。或いは、読取倍率を変更する。このように、枠体にそれぞれフィルムの種類を示す識別マークを付与することによって、その都度条件を設定する必要がなく、自動的に設定できるため、作業性が向上する。
【００２３】
なお、この自動設定とは、実際に装置の機能を自動的に行うことはもちろんであるが、設定された数値等が表示され、その表示された数値等に基づいてキー入力することも含む。
【００２４】
【発明の実施の形態】
まず本実施形態に係るディジタルラボシステムについて説明する。
【００２５】
（システム全体の概略構成）
図１には本実施形態に係るディジタルラボシステム１０の概略構成が示されており、図２にはディジタルラボシステム１０の外観が示されている。図１に示すように、このラボシステム１０は、ラインＣＣＤスキャナ１４、画像処理部１６、レーザプリンタ部１８、及びプロセッサ部２０を含んで構成されており、ラインＣＣＤスキャナ１４と画像処理部１６は、図２に示す入力部２６として一体化されており、レーザプリンタ部１８及びプロセッサ部２０は、図２に示す出力部２８として一体化されている。
【００２６】
ラインＣＣＤスキャナ１４は、ネガフィルムやリバーサルフィルム等の写真フィルムに記録されているコマ画像を読み取るためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのコマ画像を読取対象とすることができる。ラインＣＣＤスキャナ１４は、上記の読取対象のコマ画像をラインＣＣＤで読み取り、画像データを出力する。
【００２７】
上記異なる種類（サイズ）のフィルムから画像を読み取る場合、複数の画像コマが連続して撮影されている長尺フィルム（ピースフィルムも含む）であれば、それぞれに適合したフィルムキャリアをラインＣＣＤスキャナ１４の読取光軸位置に設置することにより、このフィルムキャリアによって、フィルムを搬送し、複数の画像コマを順次読取位置へ位置決めすることにより、自動的にかつ連続して複数の画像の読取りが可能である。
【００２８】
ここで、本実施の形態のラインＣＣＤスキャナ１４では、上記のような長尺フィルムではなく、ブローニサイズ等の大型サイズノフィルムや、ピースネガ（６コマ単位で切断された１３５サイズのフィルム）から画像を読み取る場合のディジタルラボシステム１０として説明する。
【００２９】
画像処理部１６は、ラインＣＣＤスキャナ１４から出力された画像データ（スキャン画像データ）が入力されると共に、デジタルカメラでの撮影によって得られた画像データ、原稿（例えば反射原稿等）をスキャナで読み取ることで得られた画像データ、コンピュータで生成された画像データ等（以下、これらをファイル画像データと総称する）を外部から入力する（例えば、メモリカード等の記憶媒体を介して入力したり、通信回線を介して他の情報処理機器から入力する等）ことも可能なように構成されている。
【００３０】
画像処理部１６は、入力された画像データに対して各種の補正等の画像処理を行って、記録用画像データとしてレーザプリンタ部１８へ出力する。また、画像処理部１６は、画像処理を行った画像データを画像ファイルとして外部へ出力する（例えばメモリカード等の記憶媒体に出力したり、通信回線を介して他の情報処理機器へ送信する等）ことも可能とされている。
【００３１】
レーザプリンタ部１８はＲ、Ｇ、Ｂのレーザ光源を備えており、画像処理部１６から入力された記録用画像データに応じて変調したレーザ光を印画紙に照射して、走査露光によって印画紙に画像を記録する。また、プロセッサ部２０は、レーザプリンタ部１８で走査露光によって画像が記録された印画紙に対し、発色現像、漂白定着、水洗、乾燥の各処理を施す。これにより、印画紙上に画像が形成される。
【００３２】
（ラインＣＣＤスキャナの構成）
次にラインＣＣＤスキャナ１４の構成について説明する。図３にはラインＣＣＤスキャナ１４の光学系の概略構成が示されている。この光学系は、ハロゲンランプやメタルハライドランプ等から成り、一例としてブローニサイズの写真フィルム２２に光を照射する光源３０を備えており、光源３０の光射出側には、写真フィルム２２に照射する光を拡散光とする光拡散ボックス３６が順に配置されている。
【００３３】
写真フィルム２２は、光拡散ボックス３６の光射出側に配置され、コマ画像の画面が光軸と垂直になるように搬送される。
【００３４】
また、光源３０と光拡散ボックス３６との間には、Ｃ（シアン）、Ｍ（マゼンダ）、Ｙ（イエロー）の調光フィルタ１１４Ｃ、１１４Ｍ、１１４Ｙが射出光の光軸に沿って順に設けられており、写真フィルム２２を挟んで光源３０と反対側には、光軸に沿って、コマ画像を透過した光を結像させるレンズユニット４０、ラインＣＣＤ１１６が順に配置されている。図３ではレンズユニット４０として単一のレンズのみを示しているが、レンズユニット４０は、実際には複数枚のレンズから構成されたズームレンズである。
【００３５】
ラインＣＣＤ１１６は、複数のＣＣＤセルが、搬送される写真フィルム２２の幅方向に沿って一列に配置されかつ電子シャッタ機構が設けられたセンシング部が、間隔を空けて互いに平行に３ライン設けられており、各センシング部の光入射側にＲ、Ｇ、Ｂの色分解フィルタの何れかが各々取付けられて構成されている（所謂３ラインカラーＣＣＤ）。ラインＣＣＤ１１６は、各センシング部の受光面がレンズユニット４０の結像点位置に一致するように配置されている。
【００３６】
また、各センシング部の近傍には転送部が各センシング部に対応して各々設けられており、各センシング部の各ＣＣＤセルに蓄積された電荷は、対応する転送部を介して順に転送される。また図示は省略するが、ラインＣＣＤ１１６とレンズユニット４０との間にはシャッタが設けられている。
【００３７】
図４にはラインＣＣＤスキャナ１４の電気系の概略構成が示されている。ラインＣＣＤスキャナ１４は、ラインＣＣＤスキャナ１４全体の制御を司るマイクロプロセッサ４６を備えている。マイクロプロセッサ４６には、バス６２を介してＲＡＭ６４（例えばＳＲＡＭ）、ＲＯＭ６６（例えば記憶内容を書換え可能なＲＯＭ）が接続されていると共に、モータドライバ４８が接続されており、モータドライバ４８にはフィルタ駆動モータ５４が接続されている。フィルタ駆動モータ５４は調光フィルタ１１４Ｃ、１１４Ｍ、１１４Ｙを各々独立にスライド移動させることが可能とされている。
【００３８】
マイクロプロセッサ４６は、図示しない電源スイッチのオンオフに連動して光源３０を点消灯させる。また、マイクロプロセッサ４６は、ラインＣＣＤ１１６によるコマ画像の読み取り（測光）を行う際に、フィルタ駆動モータ５４によって調光フィルタ１１４Ｃ、１１４Ｍ、１１４Ｙを各々独立にスライド移動させ、ラインＣＣＤ１１６に入射される光量を各成分色光毎に調節する。
【００３９】
またモータドライバ４８には、レンズユニット４０の複数枚のレンズの位置を相対的に移動させることでレンズユニット４０のズーム倍率を変更するズーム駆動モータ７０、レンズユニット４０全体を移動させることでレンズユニット４０の結像点位置を光軸に沿って移動させるレンズ駆動モータ１０６が接続されている。マイクロプロセッサ４６は、コマ画像のサイズやトリミングを行うか否か等に応じて、ズーム駆動モータ７０によってレンズユニット４０のズーム倍率を所望の倍率に変更する。
【００４０】
一方、ラインＣＣＤ１１６にはタイミングジェネレータ７４が接続されている。タイミングジェネレータ７４は、ラインＣＣＤ１１６や後述するＡ／Ｄ変換器８２等を動作させるための各種のタイミング信号（クロック信号）を発生する。ラインＣＣＤ１１６の信号出力端は、増幅器７６を介してＡ／Ｄ変換器８２に接続されており、ラインＣＣＤ１１６から出力された信号は、増幅器７６で増幅されＡ／Ｄ変換器８２でディジタルデータに変換される。
【００４１】
Ａ／Ｄ変換器８２の出力端は、相関二重サンプリング回路（ＣＤＳ）８８を介してインタフェース（Ｉ／Ｆ）回路９０に接続されている。ＣＤＳ８８では、フィードスルー信号のレベルを表すフィードスルーデータ及び画素信号のレベルを表す画素データを各々サンプリングし、各画素毎に画素データからフィードスルーデータを減算する。そして、演算結果（各ＣＣＤセルでの蓄積電荷量に正確に対応する画素データ）を、Ｉ／Ｆ回路９０を介してスキャン画像データとして画像処理部１６へ順次出力する。
【００４２】
なお、ラインＣＣＤ１１６からはＲ、Ｇ、Ｂの測光信号が並列に出力されるので、増幅器７６、Ａ／Ｄ変換器８２、ＣＤＳ８８から成る信号処理系も３系統設けられており、Ｉ／Ｆ回路９０からは、スキャン画像データとしてＲ、Ｇ、Ｂの画像データが並列に出力される。
【００４３】
また、モータドライバ４８にはシャッタを開閉させるシャッタ駆動モータ９２が接続されている。ラインＣＣＤ１１６の暗出力については、後段の画像処理部１６で補正されるが、暗出力レベルは、コマ画像の読み取りを行っていないときに、マイクロプロセッサ４６がシャッタを閉止させることで得ることができる。
【００４４】
（画像処理部の構成）
次に画像処理部１６の構成について図５を参照して説明する。画像処理部１６は、ラインＣＣＤスキャナ１４に対応してラインスキャナ補正部１２２が設けられている。ラインスキャナ補正部１２２は、ラインＣＣＤスキャナ１４から並列に出力されるＲ、Ｇ、Ｂの画像データに対応して、暗補正回路１２４、欠陥画素補正部１２８、及び明補正回路１３０から成る信号処理系が３系統設けられている。
【００４５】
暗補正回路１２４は、ラインＣＣＤ１１６の光入射側がシャッタにより遮光されている状態で、ラインＣＣＤスキャナ１４から入力されたデータ（ラインＣＣＤ１１６のセンシング部の各セルの暗出力レベルを表すデータ）を各セル毎に記憶しておき、ラインＣＣＤスキャナ１４から入力されたスキャン画像データから、各画素毎に対応するセルの暗出力レベルを減ずることによって補正する。
【００４６】
また、ラインＣＣＤ１１６の光電変換特性は各セル単位でのばらつきもある。欠陥画素補正部１２８の後段の明補正回路１３０では、ラインＣＣＤスキャナ１４に画面全体が一定濃度の調整用のコマ画像がセットされている状態で、ラインＣＣＤ１１６で前記調整用のコマ画像を読み取ることによりラインＣＣＤスキャナ１４から入力された調整用のコマ画像の画像データ（この画像データが表す各画素毎の濃度のばらつきは各セルの光電変換特性のばらつきに起因する）に基づいて各セル毎にゲインを定めておき、ラインＣＣＤスキャナ１４から入力された読取対象のコマ画像の画像データを、各セル毎に定めたゲインに応じて各画素毎に補正する。
【００４７】
一方、調整用のコマ画像の画像データにおいて、特定の画素の濃度が他の画素の濃度と大きく異なっていた場合には、ラインＣＣＤ１１６の前記特定の画素に対応するセルには何らかの異常があり、前記特定の画素は欠陥画素と判断できる。欠陥画素補正部１２８は調整用のコマ画像の画像データに基づき欠陥画素のアドレスを記憶しておき、ラインＣＣＤスキャナ１４から入力された読取対象のコマ画像の画像データのうち、欠陥画素のデータについては周囲の画素のデータから補間してデータを新たに生成する。
【００４８】
また、ラインＣＣＤ１１６は３本のライン（ＣＣＤセル列）が写真フィルム２２の搬送方向に沿って所定の間隔を空けて順に配置されているので、ラインＣＣＤスキャナ１４からＲ、Ｇ、Ｂの各成分色の画像データの出力が開始されるタイミングには時間差がある。ラインスキャナ補正部１２２は、コマ画像上で同一の画素のＲ、Ｇ、Ｂの画像データが同時に出力されるように、各成分色毎に異なる遅延時間で画像データの出力タイミングの遅延を行う。
【００４９】
ラインスキャナ補正部１２２の出力端はセレクタ１３２の入力端に接続されており、補正部１２２から出力された画像データはセレクタ１３２に入力される。また、セレクタ１３２の入力端は入出力コントローラ１３４のデータ出力端にも接続されており、入出力コントローラ１３４からは、外部から入力されたファイル画像データがセレクタ１３２に入力される。セレクタ１３２の出力端は入出力コントローラ１３４、イメージプロセッサ部１３６Ａ、１３６Ｂのデータ入力端に各々接続されている。セレクタ１３２は、入力された画像データを、入出力コントローラ１３４、イメージプロセッサ部１３６Ａ、１３６Ｂの各々に選択的に出力可能とされている。
【００５０】
イメージプロセッサ部１３６Ａは、メモリコントローラ１３８、イメージプロセッサ１４０、３個のフレームメモリ１４２Ａ、１４２Ｂ、１４２Ｃを備えている。フレームメモリ１４２Ａ、１４２Ｂ、１４２Ｃは各々１フレーム分のコマ画像の画像データを記憶可能な容量を有しており、セレクタ１３２から入力された画像データは３個のフレームメモリ１４２の何れかに記憶されるが、メモリコントローラ１３８は、入力された画像データの各画素のデータが、フレームメモリ１４２の記憶領域に一定の順序で並んで記憶されるように、画像データをフレームメモリ１４２に記憶させる際のアドレスを制御する。
【００５１】
イメージプロセッサ１４０は、フレームメモリ１４２に記憶された画像データを取込み、階調変換、色変換、画像の超低周波輝度成分の階調を圧縮するハイパートーン処理、粒状を抑制しながらシャープネスを強調するハイパーシャープネス処理等の各種の画像処理を行う。なお、上記の画像処理の処理条件は、オートセットアップエンジン１４４（後述）によって自動的に演算され、演算された処理条件に従って画像処理が行われる。イメージプロセッサ１４０は入出力コントローラ１３４に接続されており、画像処理を行った画像データは、フレームメモリ１４２に一旦記憶された後に、所定のタイミングで入出力コントローラ１３４へ出力される。なお、イメージプロセッサ部１３６Ｂは、上述したイメージプロセッサ部１３６Ａと同一の構成であるので説明を省略する。
【００５２】
ところで、本実施形態では個々のコマ画像に対し、ラインＣＣＤスキャナ１４において異なる解像度で２回の読み取りを行う。１回目の比較的低解像度での読み取り（以下、プレスキャンという）では、コマ画像の濃度が極端に低い場合（例えばネガフィルムにおける露光オーバのネガ画像）にも、ラインＣＣＤ１１６で蓄積電荷の飽和が生じないように決定した読取条件（写真フィルムに照射する光のＲ、Ｇ、Ｂの各波長域毎の光量、ＣＣＤの電荷蓄積時間）でコマ画像の読み取りが行われる。このプレスキャンによって得られた画像データ（プレスキャン画像データ）は、セレクタ１３２から入出力コントローラ１３４に入力され、更に入出力コントローラ１３４に接続されたオートセットアップエンジン１４４に出力される。
【００５３】
オートセットアップエンジン１４４は、ＣＰＵ１４６、ＲＡＭ１４８（例えばＤＲＡＭ）、ＲＯＭ１５０（例えば記憶内容を書換え可能なＲＯＭ）、入出力ポート１５２を備え、これらがバス１５４を介して互いに接続されて構成されている。
【００５４】
オートセットアップエンジン１４４は、入出力コントローラ１３４から入力された複数コマ分のコマ画像のプレスキャン画像データに基づいて、ラインＣＣＤスキャナ１４による２回目の比較的高解像度での読み取り（以下、ファインスキャンという）によって得られた画像データ（ファインスキャン画像データ）に対する画像処理の処理条件を演算し、演算した処理条件をイメージプロセッサ部１３６のイメージプロセッサ１４０へ出力する。この画像処理の処理条件の演算では、撮影時の露光量、撮影光源種やその他の特徴量から類似のシーンを撮影した複数のコマ画像が有るか否か判定し、類似のシーンを撮影した複数のコマ画像が有った場合には、これらのコマ画像のファインスキャン画像データに対する画像処理の処理条件が同一又は近似するように決定する。
【００５５】
なお、画像処理の最適な処理条件は、画像処理後の画像データを、レーザプリンタ部１８における印画紙への画像の記録に用いるのか、外部へ出力するのか等によっても変化する。画像処理部１６には２つのイメージプロセッサ部１３６Ａ、１３６Ｂが設けられているので、例えば、画像データを印画紙への画像の記録に用いると共に外部へ出力する等の場合には、オートセットアップエンジン１４４は各々の用途に最適な処理条件を各々演算し、イメージプロセッサ部１３６Ａ、１３６Ｂへ出力する。これにより、イメージプロセッサ部１３６Ａ、１３６Ｂでは、同一のファインスキャン画像データに対し、互いに異なる処理条件で画像処理が行われる。
【００５６】
更に、オートセットアップエンジン１４４は、入出力コントローラ１３４から入力されたコマ画像のプレスキャン画像データに基づいて、レーザプリンタ部１８で印画紙に画像を記録する際のグレーバランス等を規定する画像記録用パラメータを算出し、レーザプリンタ部１８に記録用画像データ（後述）を出力する際に同時に出力する。また、オートセットアップエンジン１４４は、外部から入力されるファイル画像データに対しても、上記と同様にして画像処理の処理条件を演算する。
【００５７】
入出力コントローラ１３４はＩ／Ｆ回路１５６を介してレーザプリンタ部１８に接続されている。画像処理後の画像データを印画紙への画像の記録に用いる場合には、イメージプロセッサ部１３６で画像処理が行われた画像データは、入出力コントローラ１３４からＩ／Ｆ回路１５６を介し記録用画像データとしてレーザプリンタ部１８へ出力される。また、オートセットアップエンジン１４４はパーソナルコンピュータ１５８に接続されている。画像処理後の画像データを画像ファイルとして外部へ出力する場合には、イメージプロセッサ部１３６で画像処理が行われた画像データは、入出力コントローラ１３４からオートセットアップエンジン１４４を介してパーソナルコンピュータ１５８に出力される。
【００５８】
パーソナルコンピュータ１５８は、ＣＰＵ１６０、メモリ１６２、ディスプレイ１６４及びキーボード１６６（図２も参照）、ハードディスク１６８、ＣＤ−ＲＯＭドライバ１７０、搬送制御部１７２、拡張スロット１７４、画像圧縮／伸長部１７６を備えており、これらがバス１７８を介して互いに接続されて構成されている。搬送制御部１７２はマニュアルキャリア５０２に接続されており、マニュアルキャリア５０２（図２参照）による写真フィルム２２の搬送を制御する。
【００５９】
また、メモリカード等の記憶媒体に対してデータの読出し／書込みを行うドライバ（図示省略）や、他の情報処理機器と通信を行うための通信制御装置は、拡張スロット１７４を介してパーソナルコンピュータ１５８に接続される。入出力コントローラ１３４から外部への出力用の画像データが入力された場合には、前記画像データは拡張スロット１７４を介して画像ファイルとして外部（前記ドライバや通信制御装置等）に出力される。また、拡張スロット１７４を介して外部からファイル画像データが入力された場合には、入力されたファイル画像データは、オートセットアップエンジン１４４を介して入出力コントローラ１３４へ出力される。この場合、入出力コントローラ１３４では入力されたファイル画像データをセレクタ１３２へ出力する。
【００６０】
なお、画像処理部１６は、プレスキャン画像データ等をパーソナルコンピュータ１５８に出力し、ラインＣＣＤスキャナ１４で読み取られたコマ画像をディスプレイ１６４に表示したり、印画紙に記録することで得られる画像を推定してディスプレイ１６４に表示し、キーボード１６６を介してオペレータにより画像の修正等が指示されると、これを画像処理の処理条件に反映することも可能とされている。
【００６１】
（マニュアルキャリアの構成）
図６乃至図８には、本実施の形態に係る手動装填用のマニュアルキャリア５０２が示されている。
【００６２】
マニュアルキャリア５０２は、前記ラインＣＣＤスキャナ１４の前方テーブル上に配設される移動ベース５０４を有している。この移動ベース５０４は、ベース本体５０６が、互いに平行な一対のシャフト５０８、５１０に支持されている。このシャフト５０８、５１０は、その両端部がフランジ５１２（図６では一方のみ図示）に固定されている。このため、ベース本体５０６は、このシャフト５０８、５１０の軸線方向にスライド可能となっている。
【００６３】
ベース本体５０６は、後述するシャーカステンテーブル５１４を載置する載置台５１６の三方を囲むように縦壁部５１８が設けられている。載置台５１６には、矩形孔５２０が設けられ、光源３０の透過孔とされている。
【００６４】
前記シャフト５０８、５１０は、この縦壁部５１８の下端部が延長されて形成された脚部５２２に設けられた円孔５２４に軸支されている。
【００６５】
この脚部５２２には、雄ねじが形成された回転シャフト５２６が螺合されている。この回転シャフト５２６は、前記シャフト５０８、５１０と同様にその両端部がフランジ５１２に軸支されている。また、回転シャフト５２６は、一方のフランジ５１２（図６で示したフランジ５１２）を貫通し、歯車５２８、５３０を介して駆動源であるモータ５３２の駆動軸と連結されている。このため、モータ５３２の駆動力による回転シャフト５２６が回転することにより、ベース本体５０６をシャフト５０８、５１０の軸線方向へ移動させることができる。
【００６６】
載置台５１６には、シャーカステンテーブル５１４が載置され、かつ摺動可能となっている。
【００６７】
シャーカステンテーブル５１４の側面には、図７に示される如く、紙面手前から奥側にかけて案内溝５３４が形成されており、これに対して、載置台５１６の両側面の縦壁部５１８の内周面には、ローラ５３６が取り付けられている。
【００６８】
前記案内溝５３４には、下面と連続する切欠部５３８が形成されており、この切欠部５３８と前記ローラ５３６とを対応させながら、シャーカステンテーブル５１４を載置台５１６に載置することにより、ローラ５３６が案内溝５３４へ収容される。
【００６９】
ここで、ローラ５３６を図示しない駆動手段の駆動力で回転させることにより、シャーカステンテーブル５１４を載置台５１６の前後（紙面手前←→奥側）方向に摺動させることができるようになっている。なお、駆動手段を用いず、オペレータの手作業で摺動させるようにしてもよく、いずれにしても、シーカステンテーブル５１４は、載置台５１６上で摺動され、かつ摺動方向両端において、ローラ５３６が切欠部５３８から脱落しない構造となっている。
【００７０】
シャーカステンテーブル５１４の中央部は、矩形状の貫通孔が設けられ、シャーカステン５４０が配設されている。シャーカステン５４０は、乳白色で半透明とされており、その表面には、縦横のマス状の目盛り５４２が付与されている。
【００７１】
このため、このシャーカステン５４０上に写真フィルム２２（実際には、後述するフィルムクランパ５４４に挟持された状態の写真フィルム２２）が載置され、シャーカステン５４０の下方から光が透過すると、写真フィルム２２の配置状態が前記目盛り５４２との相対位置関係により、認識することができるようになっている。
【００７２】
シャーカステンテーブル５４０の手前側は、傾斜面とされシャーカステン用光源（本実施の形態では、画像読取用の光源３０と共通）をオンオフさせるためのスイッチ５４６が設けられている。
【００７３】
また、シャーカステンテーブル５１４の奥側には、フィルムクランパ５４４に設けられた、識別符号を読み取る複数（本実施の形態では５個）の読取センサ５４８が設けられている。ここで、識別符号は、白又は黒のマークの組み合わせであり、本実施の形態の如く、５個の白又は黒マークの組み合わせであれば、２5 （＝３２）種類の識別が可能となる。
【００７４】
シャーカステンテーブル５１４に形成された一対の側壁５５０間の寸法は、フィルムクランパ５４４の幅寸法に対応しており、これにより、シャーカステンテーブル５１４には、フィルムクランパ５４４がこの一対の側壁５５０に案内されて摺動されるようになっている。なお、シャーカステンテーブル５１４の奥側には、ストッパ５５２が設けられ、フィルムクランパ５４４の奥側への摺動量を制限している。また、側壁５５０の上端中央部には、凹部５５４が設けられ、フィルムクランパ５４４からはみ出る写真フィルム２２（ピースネガ等の場合）の逃げ空間とされている。
【００７５】
フィルムクランパ５４４は、一対の板材５５６、５５８が図示しない蝶番を介して連結されており、図６に示される如く開放状態と、互いの板材５５６、５５８が重ね合わされる閉止状態と、の２位置を取り得る。
【００７６】
ベース側板材５５６には、フィルムサイズに適合した矩形孔５６０が設けられ、これに対応してカバー側板材５５８には、該矩形孔５６０よりも若干大きめの矩形孔５６２が設けられている。また、矩形孔５６０の周縁には、フォーカスチャート５６１が設けられている。
【００７７】
ベース側板材５５６には、クリップ５６４が設けられ、写真フィルム２２を挟んで仮止めすることができるようになっている。なお、カバー側板材５５８には、前記矩形孔５６２に隣接して、矩形の切欠部５６６が設けられ、一対の板材５５６、５５８の閉止状態における、クリップ５６４との干渉を防止している。
【００７８】
なお、前記フォーカスチャート５６１は、板材５５６、５５８の閉止時でも矩形孔５６２から露出される位置となっている。
【００７９】
また、ベース側板材５５６の図６の手前側角部（２箇所）には、円溝５６８が設けられ、その底面が磁性体で形成されている。これに対応して、カバー側板材５５８の図６の上側角部（２箇所）には、電磁石５７０が取り付けられている。ここで、一対の板材５５６、５５８が閉止状態とされると、この間に挟持された写真フィルム２２は、完全には挟持されておらず、手作業によってその位置が変更可能となっている。また、電磁石５７０が通電されると、一対の板材５５６、５５８は密着し、写真フィルム２２を強固に挟持されるようになっている。
【００８０】
また、図９に示される如く、ベース側板材５５６の裏面、かつカバー側板材５５８側には、白又は黒で５個の識別マーク５７２が設けられている。この識別マーク５７２は、前記読取センサ５４８の配列ピッチと同ピッチで設けられている。
【００８１】
上記構成のマニュアルキャリア５００において、図８に示される如く、写真フィルム２２をフィルムクランパ５４４のベース側板材５５６にクリップ５６４によって仮止めし（図８の▲１▼）、その後閉止して、シャーカステンテーブル５１４上に載置するようになっている（図８の▲２▼）。このとき、シャーカステンテーブル５１４は、図６の手前側に引き出されているため、この載置作業は容易となる。なお、フィルムクランパ５４４とシャーカステンテーブル５１４との相対位置は、一対の側壁５５０で案内され、ストッパ５５２で摺動量が制限されるため、常に適正な位置となる。
【００８２】
この状態で、シャーカステンテーブル５１４をベース本体５０６の載置台５１６に載置し（図８の▲３▼）、縦壁部５１８に沿って摺動（ローラ５３６の駆動による自動搬送、又は手押し）させると、シャーカステンスイッチ５４６がオンされ、光源３０が点灯するようになっている。
【００８３】
この点灯によって、写真フィルム２２の目盛り５４２に対する相対位置が認識しやすくなり、オペレータは、手作業で写真フィルム２２を動かし（電磁石５７０のオフ状態）、正規の位置に位置決めする。
【００８４】
位置決めが完了後は、電磁石５７０が通電されることによって、写真フィルム２２は、ベース本体５０６上で精度よく位置決めが完了したことになる。
【００８５】
以下に、本実施の形態の作用を図９のフローチャートに従い説明する。
まず、これから画像を読み取る写真フィルム２２のサイズに合わせて、フィルムクランパ５４４を選別する。
【００８６】
選別後、写真フィルム２２を、ほぼ所定位置へ位置決めし、クリップ５６４によって仮止めする。このクリップ５６４は、クリップ５６４自身の弾性力によって写真フィルム２２を保持するようにしたが、ばね力によって挟み込む構造でああってもよい。但し、写真フィルム２２を、クリップ状態で移動できる程度の挟持力であることが望ましい。
【００８７】
写真フィルム２２のクリップが完了すると、カバー側板材５５８をベース側板材５５６にかぶせるように移動させる。このとき、切欠部５６６によりクリップ５６４との干渉はない。
【００８８】
一対の板材５５６、５５８が重ね合わされると、この状態では、両者に若干の隙間が生じており、これにより、写真フィルム２２は、手作業で移動可能である。
【００８９】
上記の状態（一対の板材５５６、５５８の重ね合わせ状態）で、このフィルムクランパ５４４をシャーカステンテーブル５１４上に載置する。この載置位置は、一対の側壁５５０とストッパ５５２によって、精度よく常に一定の位置に載置することができる。
【００９０】
また、この載置時は、シャーカステンテーブル５１４は、フィルムクランパ交換位置（すなわち、ベース本体５０６の手前側に引き出されている位置）にあるため、フィルムクランパ５４４の載置作業は容易に行われる。
【００９１】
ここで、シャーカステンテーブル５１４には、読取センサ５４８が設けられており、フィルムクランパ５４４の裏面側に設けられた識別マーク５７２を検出する。この識別マーク５７２は、５個の白又は黒の組み合わせであり、最大６４種類を識別することができる。
なお、識別マーク５７２の数は５個に限らず、フィルム種類に応じて定めればよい。例えば、フィルム種類は８種類であれば、識別マーク５７２は３個で足り、１００種類あれば、６個以上必要となる。
【００９２】
読取センサ５４８で識別マーク５７２を検出すると、この識別マーク５７２に基づく、フィルム種類を判別し、画像読取速度及び読取倍率を自動設定する。
【００９３】
すなわち、ブローニサイズのような大きいサイズの場合は画像読取速度を遅くすると共に、読取倍率を縮小側とする。また、１３５サイズのような小さいサイズの場合は画像読取速度を速くし、読取倍率を拡大側とする。
【００９４】
なお、自動設定せず、適正な数値を表示させ、この表示を見てオペレータがキー入力するようにしてもよい。
【００９５】
次に、シャーカステンテーブル５１４をベース本体５０６の奥側へ摺動させる。この摺動は、ローラ５３６を駆動させる。このローラ５３６は、案内溝５３４に対して相対移動（実際には、案内溝５３４が移動する）し、シャーカステンテンーブル５１４をベース本体５０６の所定位置（画像読取位置）へ位置決めすることができる。この移動に伴って、シャーカステンスイッチ５４６がオンし、光源３０が点灯する。
【００９６】
この光源からの光は、シャーカステン５４０を透過し、写真フィルム２２へと至るため、上方からの目視によって、写真フィルム２２の位置と目盛り５４２との相対位置関係が容易に認識でき、もし、位置かずれていれば、写真フィルム２２が仮止め状態であるため、写真フィルム２２を把持して移動することにより、容易にかつ正確に位置決めを行うことができる。
【００９７】
位置決めが完了すると、電磁石５７０に通電され、フィルムクランパ５４４の一対の板材５５６、５５８は密着し、写真フィルム２２を強固に挟持、保持することができる。
【００９８】
一対の板材５５６、５５８による写真フィルム２２の挟持圧着後、回転シャフト５２６を回転させ、ベース本体５０６を１往復移動させる。この１回目の１往復時の往路時にプレスキャニングがなされる。次に、再度回転シャフト５３６を回転させ、ベース本体５０６を１往復させる。この２回目の１往復時の往路時にファインスキャニングがなされる。なお、このとき、画像がフォーカス調整しにくいものである場合には、フォーカスチャート５６１を用いてフォーカス調整を行えばよい。
【００９９】
次に電磁石５７０の通電が解除され、一対の板材５５６、５５８に隙間が生じると、ローラ５３６の駆動（又は手作業）により、シャーカステンテーブル５１４を手前に引出し、次のフィルムクランパ５７０と交換する。或いは、装填されたフィルムクランパ５７０に新たに画像を読み取る写真フィルム２２を装着し、装填しなおす）。このシャーカステンテーブル５１４の引出し時には、シャーカステンスイッチ５４６がオフとなるため、光源３０は消灯する。
【０１００】
ここで、本実施の形態では、ブローニサイズの写真フィルム２２を適用した例を示したため、１回毎にフィルムクランパ５４４を交換するようにしたが、ピースネガの場合には、シャーカステンテーブル５１４をベース本体５０６上の読取位置に位置決めした状態で、次のコマまで手作業で移動させて位置決めし、再度電磁石５７０を通電させればよい。
【０１０１】
なお、本実施の形態では、マニュアルキャリア５０２を用い、手作業で写真フィルム２２を位置決めして、その後のプレスキャニング及びファインスキャニング時には、ベース本体５０６をモータ５３２の駆動力で往復移動させるようにしたが、図１０に示される如く、回転シャフト５２６の一端部にハンドル５９０を取り付け、このハンドル５９０を回転することにより、プレスキャニングを行ってもよい。このとき、ハンドル５９０にぜんまいばね５９２を取り付けておき、プレスキャニング時にエネルギーを蓄え、ハンドル５９０の開放時（プレスキャニング終了時）に復路搬送でファインスキャニングを行うようにすれば、ファインスキャニング時は、ベース本体５０６をは一定速度で搬送させることができる。
【０１０２】
【発明の効果】
以上説明した如く請求項１に記載の発明では、フィルムの装填が容易であり、かつ位置決め精度を向上することができるという優れた効果を有する。
また、フォーカスを合わせにくい画像であっても容易にフォーカス調整が可能となる。
【０１０３】
請求項２に記載の発明では、フィルム交換位置で容易にフィルム（枠体）の交換が行え、画像読取位置でシャーカステンを用いて精度よく位置決めを行うことができる。
また、シャーカステン透過用の光源の点灯によって、フィルムのフィルム位置合わせ用の指標に対する相対位置が認識しやすくなる。
【０１０６】
請求項３に記載の発明では、フィルム交換位置で容易にフィルム（枠体）の交換が行え、画像読取位置でシャーカステンを用いて精度よく位置決めを行うことができる。また、装填されるフィルムの種類に適合する画像読取条件の設定が容易に行うことができる。
【図面の簡単な説明】
【図１】本発明の実施の形態に係るディジタルラボシステムの概略構成図である。
【図２】ディジタルラボシステムの外観図である。
【図３】ラインＣＣＤスキャナの光学系の概略構成図である。
【図４】ラインＣＣＤスキャナの電気系の概略構成図である。
【図５】画像処理部の概略構成図である。
【図６】本実施の形態に係るマニュアルキャリアの概略構成を示す斜視図である。
【図７】本実施の形態に係るマニュアルキャリアのベース本体と、シャーカステンテンーブルとの移動状態を示し、（Ａ）は引出し時（フィルム交換位置）、（Ｂ）は収容井位置（画像読取位置）を示す側面図である。
【図８】マニュアルキャリアによる写真フィルムの装填の流れを示す概略図である。
【図９】フィルムクランパの下面図である。
【図１０】本発明の変形例に係るマニュアルキャリアの斜視図である。
【符号の説明】
１０    ディジタルラボシステム
１４    ラインＣＣＤスキャナ（走査位置に相当）
２２    写真フィルム
５０２    マニュアルキャリア
５０２    移動ベース（移動手段）
５０６    ベース本体
５１４    シャーカステンテーブル（枠体支持手段）
５４０    シャーカステン
５２６    回転シャフト
５３２    モータ
５４２    目盛り
５４４    フィルムクランパ
５４６    シャーカステンスイッチ
５４８    読取センサ
５５６、５５８    板材（枠体）
５６１    フォーカスチャート
５６４    クリップ
５７２    識別マーク
【図１】
0003734943.tif 000002
【図２】
0003734943.tif 000003
【図３】
0003734943.tif 000004
【図４】
0003734943.tif 000005
【図５】
0003734943.tif 000006
【図６】
0003734943.tif 000007
【図７】
0003734943.tif 000008
【図８】
0003734943.tif 000009
【図９】
0003734943.tif 000010
【図１０】
0003734943.tif 000011